(57)【特許請求の範囲】
【請求項１】
断熱パネルにより箱体３に構成されていて前側開口部には観音開き式に開閉する左・右扉２ａ，２ｂを設けている農産物用の保冷庫において、左・右扉２ａ，２ｂの接合部内側面に断熱パネルからなるセンターピラー７を配設し、前記左・右扉２ａ，２ｂの左・右開閉把手５，５に取り付けられている左・右係止具１０，１０と前記センサピラー７とを係止・離脱可能に構成し、左・右開閉把手５，５の閉鎖状態では左・右係止具１０，１０を介して左・右扉２ａ，２ｂに前記センターピラー７が係止され、左・右開閉把手５，５の一方の開状態では左・右係止具１０，１０の一方が前記センターピラー７から離脱し、他方の左・右開閉把手５，５、左・右係止具１０，１０を介して他方の閉鎖状態の左・右扉２ａ，２ｂに前記センターピラー７が係止されることを特徴とする農産物用保冷庫の開閉扉。
【発明の詳細な説明】
【０００１】
【発明の属する技術分野】
この発明は、農産物用保冷庫の開閉扉に関するものである。
【０００２】
【従来の技術】
箱状の貯蔵庫と、貯蔵庫の前面開口部に観音開き式の開閉ドアーを有し、貯蔵庫内に農産物を貯蔵する農産物貯蔵庫であって、開閉ドアーの合わせ部に、左右の開閉ドアーのいずれかに固定しうる断熱性の仕切り部材（センターピラー相当）を設けたものは公知である（例えば特開平１０−１６４９６９号公報）。
【０００３】
【発明が解決しようとする課題】
従来の農産物貯蔵庫の開閉ドアーの合わせ部に設けられている断熱性の仕切り部材は、左右の開閉ドアーのいずれか一方に固定して設けられているので、開閉ドアーの合わせ部から冷気が逃げるのを防止でき、農産物の出し入れの際に、仕切り部材が固定されていないドアーを認知している者にとっては開閉操作は容易であるが、仕切り部材が固定されているドアーを認知していない者にとっては、他方のドアーも一緒に開けなければならず、開閉操作がやりにくいという欠点があった。
【０００４】
そこで、この発明は、このような欠点を解消しようとするものである。
【０００５】
【課題を解決するための手段】
前記問題点を解決するために、請求項１の発明は、断熱パネルにより箱体３に構成されていて前側開口部には観音開き式に開閉する左・右扉２ａ，２ｂを設けている農産物用の保冷庫において、左・右扉２ａ，２ｂの接合部内側面に断熱パネルからなるセンターピラー７を配設し、前記左・右扉２ａ，２ｂの左・右開閉把手５，５に取り付けられている左・右係止具１０，１０と前記センターピラー７とを係止・離脱可能に構成し、左・右開閉把手５，５の閉鎖状態では左・右係止具１０，１０を介して左・右扉２ａ，２ｂに前記センターピラー７が係止され、左・右開閉把手５，５の一方の開状態では左・右係止具１０，１０の一方が前記センターピラー７から離脱し、他方の左・右開閉把手５，５、左・右係止具１０，１０を介して他方の閉鎖状態の左・右扉２ａ，２ｂに前記センターピラー７が係止されることを特徴とする。
【０００６】
請求項１の発明では、例えば、左開閉把手５を開操作すると、左開閉把手５の開操作に関連して左係止具１０がセンターピラー７から離脱して、左扉２ａを開けることができる。そして、左扉２ａの開状態では、左・右扉２ａ，２ｂの接合部内側面に設けられているセンターピラー７は右開閉把手５、右係止具１０を介して左扉２ａと反対側の閉鎖状態の右扉２ｂに係止されており、センターピラー７と右扉２ｂとの接合が保持される。
【０００７】
【発明の効果】
請求項１の発明は、左・右扉２ａ，２ｂの接合部内側面にセンターピラー７を設けることにより、保冷庫１内の冷気の逃げ防止を図りながら、左・右扉２ａ，２ｂをどちら側からでも各別に開閉することができ、扉の開閉操作の自由度を向上させることができる。
【０００８】
【発明の実施の形態】
以下、図面に示すこの発明の一実施例の形態について説明する。先ず、図１〜図６に基づき農産物保冷庫１及び左・右扉２ａ，２ｂの開閉構成について説明する。
【０００９】
農産物保冷庫１は断熱パネルからなる上・下壁面、左・右壁面、後壁面、前壁面を構成する左・右扉２ａ，２ｂにより箱体３に構成し、箱体３内には所定容積の保冷室を形成し、左・右扉２ａ，２ｂは箱体３の前側開口部において観音開き式に開閉する構成で、左・右扉２ａ，２ｂの外側面中央寄りには左・右開閉把手５，５を設け、箱体３の上部には冷却装置６を載置している。
【００１０】
冷却装置６は、図示を省略したが、冷凍ユニット、蒸発器、蒸発器ファン等により構成されていて、前面の操作パネルに設けた運転スイッチ、温度調節スイッチ等を操作することにより、箱体３の上側板に開口した一対の通気穴から保冷庫１内に冷気を循環供給する構成である。
【００１１】
箱体３の中央部内側面に配設するセンターピラー７は左・右扉２ａ，２ｂが接合する断熱パネルからなるもので、左・右扉２ａ，２ｂの上下長さと同等の長さ、及び、所定の左右幅を有し、左・右扉２ａ，２ｂを締め切ったときに、保冷庫１内の冷気が左・右扉２ａ，２ｂの接合部から逃げるのを防止する。
【００１２】
次に、左・右扉２ａ，２ｂに対するセンターピラー７の取付構成について説明する。
左・右扉２ａ，２ｂの中央寄り端部には、左・右ロックバー８，８を上下方向に貫通させて軸支し、左・右ロックバー８，８の上下方向中間部には、左・右扉２ａ，２ｂの操作空間９，９に設けられている左・右開閉把手５，５を取り付けて、左・右開閉把手５，５により左・右ロックバー８，８を軸心中心に回動できるように構成している。
【００１３】
また、左・右ロックバー８，８の上下には、係止具である左・右フック１０，１０を取り付け、この左・右フック１０，１０は左・右扉２ａ，２ｂ、及び、センターピラー７に形成した逃げ空間１１に設けられていて、左・右開閉把手５，５の開閉操作に関連して左・右フック１０，１０が左・右ロックバー８，８回りに回動するように構成している。
【００１４】
また、センターピラー７の逃げ空間１１には左・右係止バー１２，１２を設け、また、左・右フック１０，１０には左・右リターンスプリング１３，１３が付勢され、左・右開閉把手５，５から手を離すと左・右フック１０，１０が復帰回動し、左・右フック１０，１０の先端係合凹部が左・右係止バー１２，１２に係合し、左・右開閉把手５，５、左・右フック１０，１０及び左・右係止バー１２，１２を介してセンターピラー７を左・右扉２ａ，２ｂにロックする構成としている。
【００１５】
また、センターピラー７の貫通穴１４’に左右方向に移動自在に同時開放阻止バー１４を設け、この同時開放阻止バー１４により左・右フック１０，１０間を連係して、左・右開閉把手５，５が同時に開き操作するのを防止している。なお、この同時開放阻止バー１４を磁性体により構成し、左・右フック１０，１０からの離脱を防止する構成とするとよい。
【００１６】
しかして、左・右開閉把手５，５のいずれか一方を手前に引く開き操作に関連して、左・右フック１０，１０の一方が左・右ロックバー８，８回りに回動し、センターピラー７の左・右係止バー１２，１２から左・右フック１０，１０の一方の先端係合凹部が離脱し、左・右扉２ａ，２ｂのいずれか一方を開放できる。なお、このときセンターピラー７は左・右扉２ａ，２ｂのいずれか他方にロックされている。
【００１７】
また、左・右扉２ａ，２ｂを閉め左・右開閉把手５，５から手を放すと、左・右リターンスプリング１３，１３により左・右開閉把手５，５及び左・右フック１０，１０は戻り側に回動し、左・右フック１０，１０の先端係合凹部がセンターピラー７側の左・右係止バー１２，１２に係止され左・右扉２ａ，２ｂが閉鎖状態でロックされる。
【００１８】
前記のように構成したので、左・右扉２ａ，２ｂの中央寄り内側にセンターピラー７を設け、冷気の逃げを防止するものでありながら、左・右扉２ａ，２ｂのどちらでも開閉することができ、左・右扉２ａ，２ｂのいずれか一方を開放操作すると、開放されない他方の扉にセンターピラー７は係止された状態となり、扉開閉の自由度を向上させることができる。
【００１９】
次に、図７に基づき保冷庫１の断熱構成について説明する。
保冷庫１の上・下壁面１ａにヒンジ１５，１５を介して左・右扉２ａ，２ｂを開閉自在に取り付け、左・右扉２ａ，２ｂの中央部寄り内側面には前記と同様にセンターピラー７を接近して設けている。センターピラー７の上端部には、上方に突出するように断熱部材１６を設けて、上壁面１ａの左・右扉２ａ，２ｂの接合部上端に対向するように延出介装しており、延出部１６ａは上壁面１ａに形成した凹部Ｗに内挿、密着している。
【００２０】
しかして、左・右扉２ａ，２ｂを閉鎖すると、左・右扉２ａ，２ｂに取り付けているガスケット１７，１７が断熱部材１６および上・下壁面１ａに当接し、断熱部材１６は上壁面１ａに形成した凹部Ｗに密着しているため保冷庫１室内から冷気が漏れることが無く、断熱効果を高めることができる。
【００２１】
また、センターピラー７の中央部には上下方向に沿うように例えばウレタンまたは軟質のゴム材からなる閉鎖部材１８を取り付け、閉鎖状態の左・右扉２ａ，２ｂの接合部分に閉鎖部材１８が当接するように構成し、断熱効果を高めている。なお、センターピラー７の下端部と下壁面1aとの間にも前記同様の断熱構成とするとよい。
【００２２】
次に、図８に基づき左・右扉２ａ，２ｂの下部におけるネズミ等の侵入を防止する構成について説明する。
左・右扉２ａ，２ｂの下端部中央寄りには、取付板１９，１９を介してマグネット２０，２０を取り付け、保冷庫１の下側板の前端面に近接するように構成し、保冷庫１の下側板における中央部には断面Ｌ型の所定幅のネズミ返しプレート２１を取り付けている。
【００２３】
しかして、左・右扉２ａ，２ｂの閉鎖状態では、左・右扉２ａ，２ｂ側のマグネット２０，２０がネズミ返しプレート２１の下部面に吸着し、また、左・右扉２ａ，２ｂの下端面と取付板１９，１９の間にネズミ返しプレート２１の上端折曲部が介在し、ネズミの侵入を防止することができる。
【００２４】
次に、図９〜図１４について説明する。
この実施例は、保冷庫１の下側壁下部に、フォークリフトのリフト爪の挿入できるガイド枠体２２を取り付けている。この保冷庫１は左室を玄米等の貯米庫、右室を野菜等の貯蔵庫として利用する大容量のもので、保冷庫１の前面開口部には左・右扉２ａ，２ｂ及びサイド扉２ｃを設けている。
【００２５】
図９〜図１１に示すものにあっては、このガイド枠体２２は、保冷庫１の左・右側壁下部にボルトＢで取り付ける側部枠体部２２ａ、下側壁に取り付けられている転輪２３，…及び据付けボルト２４，…を囲み接地する接地枠体部２２ｂ、フォークリフトのリフト爪を挿入できるガイド枠体部２２ｃにより構成されていて、ガイド枠体２２の前後両端部を保冷庫１の左・右扉２ａ，２ｂ，サイド扉２ｃ及び／または後側壁から少し突出する長さＨに構成している。
【００２６】
しかして、ガイド枠体２２を保冷庫１の下部左右両側に取り付けているので、ガイド枠体２２が保冷庫１を保護し、また、フォークリフトにより保冷庫１を容易に運搬することができる。
また、図１２〜図１４に示すように、ガイド枠体２２を前後に分割して左右方向に沿うように取り付ける構成としてもよい。
【００２７】
次に、図１５〜図１７に基づき冷却装置６の制御例について説明する。
保冷庫１の上部には冷却装置６を配置し、冷却装置６は、凝縮器２５、凝縮器２５を冷却する凝縮器用ファン２６、凝縮器用ファン２６を回転させる凝縮器用ファンモータ２７、蒸発器２８、蒸発器２８を冷却する蒸発器用ファン２９、蒸発器用ファン２９を回転させる蒸発器用ファンモータ３０、圧縮器３１により構成され、冷凍サイクルを実行する周知のものである。
【００２８】
なお、図１６は保冷庫１を左室と右室に分け、左室を玄米等の貯米庫、右室を野菜等の貯蔵庫として利用し、また、各室毎に室内温度を設定できるように、各室毎に蒸発器２８、蒸発器用ファン２９を設けた保冷庫１の冷却装置６を示す。保冷庫１の内部空間と蒸発器２８とは保冷庫１の上壁面に連通する一対の開口部Ｓ，ＢＬにより連通し、一方の開口部Ｓから保冷庫１内の空気が蒸発器２８に導入され、他方の開口部ＢＬからは蒸発器２８によって熱を奪われた冷気が保冷庫１内に供給され、保冷庫１内を冷気が循環し所定の適温状態を維持する。
【００２９】
蒸発器２８の下部に水受け用容器３２を設け、水受け用容器３２の排水口Ｄを保冷庫１下部に設けた排水タンク３３に接続し、前記水受け用容器３２に満水センサ３４を設けている。
制御部３７の入力側には、庫内用サーミスタ３５、凝縮器用サーミスタ３６及び満水センサ３４を接続し、制御部３７の出力側には、凝縮器用ファンモータ２７、蒸発器用ファンモータ３０、ブザー等の警報手段３８を接続している。
【００３０】
しかして、庫内用サーミスタ３５及び凝縮器用サーミスタ３６の検出信号の入力により、凝縮器用ファンモータ２７及び蒸発器用ファンモータ３８を制御して保冷庫１内を適温状態に維持し、また、満水センサ３４から満水検出信号が制御部３７に入力されると、制御部３７から制御信号を出力し警報手段３８から警報を発する。
【００３１】
水受け用容器３２の排水口Ｄから保冷庫１下部の排水タンク３３との間の詰まり状態を警報により知ることができて、保冷庫１内への水の侵入を防止することができる。
次に、図１８及び図１９に基づき冷却装置６の他の制御例について説明する。
【００３２】
この実施例は、保冷庫１内の冷却装置６及び保冷庫１内の温度を設定する温度設定手段３９を有する保冷庫内温度制御装置３７において、温度設定手段３９の温度設定を所定温度（例えば８℃）以下に設定した場合、冷却装置６の蒸発器用ファンモータ３０を連続運転とするように制御するものである。
【００３３】
制御部３７の入力側には、庫内用サーミスタ３５、凝縮器用サーミスタ３６及び保冷庫１内温度を設定する温度設定スイッチ３９を接続し、制御部３７の出力側には、凝縮器用ファンモータ２７、蒸発器用ファンモータ３０、圧縮器用駆動手段４０を接続している。
【００３４】
しかして、温度設定スイッチ３９により保冷庫１内の温度を、所定温度（例えば８℃）より高い１０℃の野菜保冷用温度に設定すると、蒸発器用ファン２９の運転は圧縮器３１と同期させる省エネタイプの低湿度対応運転に切り替えられ、また、保冷庫１内の温度を所定温度（例えば８℃）より低い５℃の野菜保冷用温度に設定すると、蒸発器用ファン３０を連続運転し、圧縮器３１と同期させない高湿度対応運転に切り替える。
【００３５】
運転中は庫内用サーミスタ３５及び凝縮器用サーミスタ３６の検出入力により、凝縮器用ファンモータ２７及び蒸発器用ファンモータ３０を制御し保冷庫１内を設定温度に維持する温度制御がなされる。
従来の保冷庫の冷気制御装置には、蒸発器用ファン２９を連続運転する高湿度対応運転と、蒸発器用ファン２９の運転を圧縮器３１と同期させる省エネタイプの低湿度対応運転とを選択できる運転モードスイッチを設け、また、保冷庫内の温度設定では、５℃の野菜用設定温度と、１０℃の野菜用設定温度に切り替えできる温度設定スイッチ３９を設けていて、オペレータはこれらの運転モードスイッチ及び温度設定スイッチ３９を操作する必要があった。
【００３６】
このため、温度設定スイッチ３９で保冷庫内温度を５℃の野菜用温度に設定し、運転モードスイッチにより低湿度対応運転モードを選択すると、蒸発器２８に結露が生じ冷却能力の低下を来すという不具合があった。
しかし、この実施例では、保冷庫１内の温度を５℃の野菜保冷用温度に設定すると、圧縮器３１と同期させずに蒸発器用ファン２９を連続運転する高湿度対応運転モードに自動的に切り替えられるので、冷却能力の低下を来すようなこともなく、従来装置の欠点を解消することができる。
【００３７】
次に、図２０に基づき保冷庫１内のネズミ検出表示装置４１について説明する。
保冷庫１内の上側壁には左・右扉２ａ，２ｂの下部の略全域を検出域とする温度検出センサ４１（例えば赤外線センサ）を設け、保冷庫１内には庫内の温度を検出する庫内温度センサ４２を設け、右扉２ｂには保冷庫１内の温度を表示する温度表示部４３を設けている。
【００３８】
しかして、扉２ａ，２ｂが閉じられた状態での温度検出センサ４１及び庫内温度センサ４２の検出温度が制御部３７に入力されると、制御部３７は両検出温度を比較し、両検出温度に予め設定した温度以上の差異が生じると、ネズミ等の動物が侵入したものと判定し、制御部３７から温度表示部４３に異常表示指令を出力し異常表示をするものである。保冷庫１内へのネズミ等の侵入を知ることができて迅速に対応することができる。
【００３９】
次に、図２１について説明する。
この実施例は、庫内温度設定スイッチ３９により設定された設定温度に基づいて庫内温度を制御する冷却手段を有する保冷庫１の保冷庫内温度制御装置３７において、保冷庫１の扉２ａ，２ｂの開閉を検出する扉開閉検出センサ４４を設け、扉開閉検出センサ４４が扉の開状態を検出すると、前記冷却装置６の一部の運転を停止するものである。
【００４０】
この実施例では、左・右扉２ａ，２ｂが開けられると、点灯する庫内点灯スイッチを設けて、庫内灯４５を点灯する構成とし、庫内点灯スイッチで扉開閉検出センサ４４を兼用する構成としている。
しかして、庫内点灯スイッチである扉開閉検出センサ４４がＯＮし、左扉２ａまたは右扉，２ｂの開状態を検出すると、制御部からの指令で圧縮器３１および凝縮器用ファン２６の作動を停止し、蒸発器用ファン２９の運転のみを継続させる。
【００４１】
このようにすると、扉が開けられたことにより設定温度を維持するため圧縮機３１と凝縮器用ファン２６が強制的に稼働しようとするのを防止すめため、扉開時の無駄な冷却運転が無くなり、圧縮器３１の耐久性の向上を図り、蒸発器２８に結露が発生しやすくなるのを未然に防ぐことができる。
【図面の簡単な説明】
【図１】保冷庫の斜視図
【図２】保冷庫の正面図
【図３】図２のＡ−Ａ線断面図
【図４】図３要部拡大図
【図５】要部の拡大図
【図６】要部縦断面図
【図７】（１）図は保冷庫の断熱構成を示す要部の平面断面図
（２）図は保冷庫の断熱構成を示す要部の縦断面図
（３）図は保冷庫の断熱構成を示す要部の斜視図
【図８】（１）図は保冷庫の扉下部を示す正面図
（２）図は要部の平面図
（３）図は要部の側面図
【図９】保冷庫に設けたガイド枠体を示す正面図
【図１０】図９の側面図
【図１１】図９の平面図
【図１２】保冷庫に設けたガイド枠体を示す正面図
【図１３】図１２の側面図
【図１４】図１２の平面図
【図１５】保冷庫の後部斜視図
【図１６】保冷庫の冷却装置を示す図
【図１７】ブロック図
【図１８】ブロック図
【図１９】制御内容を示すタイムチャート
【図２０】（１）図は保冷庫の正面断面図
（２）図は要部の正面図
（３）図は要部の側面断面図
【図２１】保冷庫の前部斜視図
【符号の説明】
１    保冷庫
２ａ、２ｂ    左・右扉
３    箱体
５    左・右開閉把手
７    センターピラー
８    左・右ロックバー
１０    左・右フック（左・右係止具）
１１    逃げ空間
１２    左・右係止バー
１３    左・右リターンスプリング
【図１】
0003915553.tif 000002
【図２】
0003915553.tif 000003
【図３】
0003915553.tif 000004
【図４】
0003915553.tif 000005
【図５】
0003915553.tif 000006
【図６】
0003915553.tif 000007
【図７】
0003915553.tif 000008
【図８】
0003915553.tif 000009
【図９】
0003915553.tif 000010
【図１０】
0003915553.tif 000011
【図１１】
0003915553.tif 000012
【図１２】
0003915553.tif 000013
【図１３】
0003915553.tif 000014
【図１４】
0003915553.tif 000015
【図１５】
0003915553.tif 000016
【図１６】
0003915553.tif 000017
【図１７】
0003915553.tif 000018
【図１８】
0003915553.tif 000019
【図１９】
0003915553.tif 000020
【図２０】
0003915553.tif 000021
【図２１】
0003915553.tif 000022